(57)【要約】      （修正有）【課題】簡易な構成によりＸ線造影糸がガーゼ本体から脱落しにくい医療用ガーゼ、また、既存の設備を用いて簡単かつ容易に織成できるＸ線造影糸が脱落しにくい医療用ガーゼを提供する。【解決手段】経糸１４と緯糸１５の交互の交差からなるガーゼ本体と、ガーゼ本体にＸ線造影糸２０を備えた医療用ガーゼであって、Ｘ線造影糸２０がガーゼ本体の経糸の一本と緯糸とに絡んだ構造で織り込まれている。Ｘ線造影糸と経糸の絡み部位には緯糸が一本又は複数本貫通している。【選択図】図２
0003207068.tif 000002
【実用新案登録請求の範囲】
【請求項１】
経糸と緯糸の交互の交差からなるガーゼ本体と、前記ガーゼ本体にＸ線造影糸を備えた医療用ガーゼであって、
前記Ｘ線造影糸が前記ガーゼ本体の前記経糸の一本と緯糸とで絡み構造で織り込まれている
ことを特徴とする医療用ガーゼ。
【請求項２】
前記絡み構造における前記Ｘ線造影糸と前記縦糸の絡み部位には前記緯糸が一本貫通している請求項１に記載の医療用ガーゼ。
【請求項３】
前記絡み構造における前記Ｘ線造影糸と前記縦糸の絡み部位には前記緯糸が複数本貫通している請求項１に記載の医療用ガーゼ。
【請求項４】
前記Ｘ線造影糸が造影剤を含浸した糸である請求項１ないし３のいずれか１項に記載の医療用ガーゼ。
【請求項５】
前記Ｘ線造影糸が金属線である請求項１ないし３のいずれか１項に記載の医療用ガーゼ。
【考案の詳細な説明】
【技術分野】
【０００１】
本考案は、医療用ガーゼに関し、特にはガーゼ本体の緯方向に配置されたＸ線造影糸が脱落しにくい医療用ガーゼに関する。
【背景技術】
【０００２】
医療用ガーゼは、手術を行う際に、血液等を吸収したり、鉤で組織を牽引する時に組織の損傷を防ぐために鉤と組織の間に挟んだりする等大量に使用される。手術後にガーゼを体内に遺残することを防ぐため、使用したガーゼを数えてミスを防ぐなどの予防策がとられている。
【０００３】
また、万一ガーゼを体内に遺残してしまった場合のために、ガーゼ本体にＸ線造影部材（糸）を編み込んだ医療用ガーゼが用いられる。これにより、手術後にレントゲン撮影により体内に遺残しているガーゼを発見することができる。
【０００４】
従来のこの種の医療用ガーゼでは、ガーゼ本体の経糸方向にＸ線造影部材が織り込まれていた。これは、ガーゼ本体の緯糸を通す際にシャトル（杼）を用いて編成しており、緯糸は端部で折り返す一本の長尺の糸により形成され、このため、ガーゼ本体の緯糸方向に部分的に一定長のＸ線造影部材を編成することが煩雑ないし困難であることに起因する。経糸方向であれば、ビームに配置される経糸の一部をＸ線造影部材とすることで、簡単にかつ連続的にＸ線造影部材が織り込まれた医療用ガーゼを編成することができるのである。
【０００５】
Ｘ線造影糸は合成樹脂繊維からなるため、綿糸よりなるガーゼ本体から抜け落ちやすい問題がある。このことから、Ｘ線造影糸の一側に密に平織してＸ線造影糸を抜け落ちにくくする医療用ガーゼが提案されている（特許文献１参照。）。このように、Ｘ線造影糸がガーゼ本体から脱落しにくく、扱いが容易な医療用ガーゼが求められていた。
【先行技術文献】
【特許文献】
【０００６】
【特許文献１】特許第３１３０５３８号公報
【考案の概要】
【考案が解決しようとする課題】
【０００７】
本考案は前記の点に鑑みなされたものであり、簡易な構成によりＸ線造影糸がガーゼ本体から脱落しにくい医療用ガーゼを提案するものである。また、既存の設備を用いて簡単かつ容易に織成できるＸ線造影糸が脱落しにくい医療用ガーゼを提案するものである。
【課題を解決するための手段】
【０００８】
すなわち、請求項１の考案は、経糸と緯糸の交互の交差からなるガーゼ本体と、前記ガーゼ本体にＸ線造影糸を備えた医療用ガーゼであって、前記Ｘ線造影糸が前記ガーゼ本体の前記経糸の一本と緯糸とで絡み構造で織り込まれていることを特徴とする医療用ガーゼに係る。
【０００９】
請求項２の考案は、前記絡み構造における前記Ｘ線造影糸と前記縦糸の絡み部位には前記緯糸が一本貫通している請求項１に記載の医療用ガーゼに係る。
【００１０】
請求項３の考案は、前記絡み構造における前記Ｘ線造影糸と前記縦糸の絡み部位には前記緯糸が複数本貫通している請求項１に記載の医療用ガーゼに係る。
【００１１】
請求項４の考案は、前記Ｘ線造影糸が造影剤を含浸した糸である請求項１ないし３のいずれか１項に記載の医療用ガーゼに係る。
【００１２】
請求項５の考案は、前記Ｘ線造影糸が金属線である請求項１ないし３のいずれか１項に記載の医療用ガーゼに係る。
【考案の効果】
【００１３】
請求項１の考案に係る医療用ガーゼは、経糸と緯糸の交互の交差からなるガーゼ本体と、前記ガーゼ本体にＸ線造影糸を備えた医療用ガーゼであって、前記Ｘ線造影糸が前記ガーゼ本体の前記経糸の一本と緯糸とで絡み構造で織り込まれているため、簡易な構成でＸ線造影糸が脱落しにくい医療用ガーゼを提供できる。また、既存の設備によりＸ線造影糸を当該絡み構造で織り込むことができるため、医療用ガーゼの製織が容易であり、経済的である。
【００１４】
請求項２の考案に係る医療用ガーゼは、請求項１において、前記絡み構造における前記Ｘ線造影糸と前記縦糸の絡み部位には前記緯糸が一本貫通しているため、簡易な構成でＸ線造影糸をガーゼ本体から脱落しにくくすることができる。
【００１５】
請求項３の考案は、請求項１において、前記絡み構造における前記Ｘ線造影糸と前記縦糸の絡み部位には前記緯糸が複数本貫通しているため、簡易な構成でＸ線造影糸をガーゼ本体から脱落しにくくすることができる。
【００１６】
請求項４の項案は、請求項１ないし３のいずれかにおいて、前記Ｘ線造影糸が造影剤を含浸した糸であるため、医療用ガーゼの製織が容易である。
【００１７】
請求項５の項案は、請求項１ないし３のいずれかにおいて、前記Ｘ線造影糸が金属線であるため、レントゲン写真に写りこみやすい。
【図面の簡単な説明】
【００１８】
【図１】本考案の一実施形態に係る医療用ガーゼの概略平面図である。
【図２】絡み構造の概略を示す拡大平面図である。
【図３】本考案の医療用ガーゼの原反を示す概略平面図である。
【考案を実施するための形態】
【００１９】
図１に示すように、医療用ガーゼ１０は、経糸１４と緯糸１５が交互に交差した平織のガーゼ本体１１を有する。経糸１４及び緯糸１５の太さ、ガーゼ本体１１の大きさは特に限定されないが、実施例では、経糸１４及び緯糸１５は綿糸よりなり、共に４０番手（単位重さ約４５３．５ｇあたりの長さが約７６８ｍ×４０）の綿糸が約１２本／ｃｍの密度で平織され、ガーゼ本体１１の大きさは約３０ｃｍ×３０ｃｍに形成される。なお、実施形態の医療用ガーゼ１０は、後述するように、大版の原反Ｆを切断して製造されたもので、緯糸１５方向の側端部１６には中耳部１７が形成され、経糸１４方向の端部１８には厚段部１９が形成されている。
【００２０】
Ｘ線造影糸２０は、ガーゼ本体１１の経方向に備えられる。つまり、ガーゼ本体を形成する経糸のうち、少なくとも１本がＸ線造影糸となる。Ｘ線造影糸２０は、経糸１４及び緯糸１５と共に一体に織り込まれる。Ｘ線造影糸２０は、従来公知のものが使用され、例えば、ポリプロピレン樹脂、ポリエステル樹脂、ポリエチレン樹脂、ポリ塩化ビニル樹脂等の合成樹脂繊維に硫酸バリウムが添加されたＸ線造影糸や、金属線等が挙げられる。
【００２１】
図１に示す医療用ガーゼ１０は、経方向にＸ線造影糸２０が１本織り込まれている。この医療用ガーゼ１０が体内に遺残した場合に、レントゲン撮影を行うと、Ｘ線造影糸２０がレントゲン写真に映り込み、体内の医療用ガーゼ１０はより発見されやすくなる。
【００２２】
図２（ａ）及び（ｂ）の絡み構造４０の概略を示す拡大図に示すように、Ｘ線造影糸２０は、隣り合う１本の経糸１４（補助糸３０）と緯糸１５とで絡み織されることにより絡み構造４０を有する。絡み織とは、経糸を絡ませた織り方のことをいう。通常の織物の場合、経糸と緯糸は直交し、経糸同士は平行（いわゆる平織）になるが、絡み織の場合は、経糸同士が平行にならないで互いに絡み合い、その間を緯糸が通って織られてなる。本考案の医療用ガーゼ１０に係る絡み構造４０には図２（ａ）に示すような、いわゆる「紗」という絡み構造４０Ａと、図２（ｂ）に示すような、いわゆる「絽」という絡み構造４０Ｂが用いられる。
【００２３】
図２（ａ）の絡み構造４０Ａは、隣同士の２本の経糸（本考案においてはＸ線造影糸２０と補助糸３０）を緯糸１５の１本ごとに捩じり、絡ませて織られる。つまり、請求項２に記載されるように、Ｘ線造影糸２０と補助糸３０が絡められた絡み部位４１に緯糸１５が１本貫通してなり、この１組が連続して絡み構造４０Ａ（紗）となる。この絡み構造４０Ａは、製織が容易である。
【００２４】
図２（ｂ）の絡み構造４０Ｂは、奇数段（３本、５本など）の平織を組織した後、Ｘ線造影糸２０と補助糸３０を絡ませて、これを繰り返して織られる。つまり、請求項３に記載されるように、Ｘ線造影糸２０と補助糸３０が絡められた絡み部位４１に緯糸１５が複数本貫通してなる。特に、Ｘ線造影糸２０及び補助糸３０を経糸として緯糸１５が絡み部位４１においても平織されると、Ｘ線造影糸２０が脱落しにくくなる。この絡み構造４０Ｂはいわゆる絽と呼ばれる絡み構造であって、製織が容易である。
【００２５】
これらの絡み構造４０は、ガーゼ等の中耳１７部分の外縁に配置される中耳絡み織部を形成する時に用いられることがある。織機に組み込まれた遊星歯車によって隣り合う経糸１４が絡み構造を構成し、中耳１７部分の外縁が絡み織され、中耳絡み織部が形成される。本考案の絡み構造４０は、この中耳絡み織部を織成するために用いられる遊星歯車を使用して、Ｘ線造影糸２０と補助糸３０とを絡み織することができる。これにより、既存の設備でＸ線造影糸２０がガーゼ本体１１から脱落しにくい医療用ガーゼ１０を製織することができる。既存の設備を使用することができるため、容易に製織することができ、経済的である。
【００２６】
図３に示すように、医療用ガーゼ１０の原反Ｆにおいて、経糸方向に緯糸１５が粗である厚段部１９を形成することで、厚段部１９を切断して複数の医療用ガーゼ１０を製作することができる。また、厚段部１９の両端に緯糸１５を密にした密織部５１や、Ｘ線造影糸２０と補強糸３０の絡み織と同様に、緯糸１５同士を絡み織にした中耳絡み織部の形成により、切断後のガーゼはほつれにくくなる。
【００２７】
さらに、幅広の織機を用いて横方向に複数枚製作する場合には、所定間隔ごとに経糸１４が粗である中耳部１７を形成し、中耳部１７を切断することにより一度に多量の医療用ガーゼ１０を経済的に製作することができる。実施形態では、３０×３０ｃｍを緯糸方向に５枚相当分を並べて製作した。中耳部１７の両端には経糸１４を密にして密織部５２を形成し、ほつれを生じにくくすることができる。
【００２８】
この医療用ガーゼ１０は、経糸１４及び緯糸１５よりなるガーゼ本体１１にＸ線造影部材２０が一体に配設される。そのため、別途複雑な工程及び設備を必要とせず極めて容易に製造することが可能である。なお、本考案の医療用ガーゼは、前述の実施例のみに限定されるものではなく、３０×３０ｃｍよりも小さい大きさにしてもよく、吸水性や柔軟性の調整ために糸の番手をより太い又は細いものを使用する等この考案の趣旨を逸脱しない範囲において、構成の一部を適宜に変更して実施することができる。、
【符号の説明】
【００２９】
１０    医療用ガーゼ
１１    ガーゼ本体
１４    経糸
１５    緯糸
２０    Ｘ線造影糸
３０    補助糸
４０，４０Ａ，４０Ｂ    絡み構造
４１    絡み部位
Ｆ    原反
【図１】
0003207068.tif 000003
【図２】
0003207068.tif 000004
【図３】
0003207068.tif 000005